(57)【要約】【課題】シャッターチャンスを逃さず使い勝手の良いデジタルカメラを提供する。【解決手段】ボイスレコードモードにおいて、実行ボタンの押下により録音を開始し（時刻ｔ１）、メモリカード内に音声ファイル（Ｐｉｃｔ０１０１．ｗａｖ）を作成するとともに録音処理を順次行いつつ音声ファイルの更新を行う。その後、録音中にレリーズボタンの半押しにより状態Ｓ１となると、録音を一旦中断し、撮影処理に含まれるＡＦ等の撮影準備を開始する（時刻ｔ２）。さらに、レリーズボタンの全押しにより状態Ｓ２となると、本撮影を開始し（時刻ｔ３）、撮影処理に含まれる露光からメモリへの画像データの記憶までと、画像処理と、画像記録処理とを行い、撮影画像ファイル（Ｐｉｃｔ０１０２．ｊｐｇ）をメモリカード内に記録する。その一方で、画像記録処理が終了する頃に、録音を再開する（時刻ｔ４）。【選択図】        図８
2004274607.tif 000002
【特許請求の範囲】
【請求項１】
ボイスレコードモードを有するデジタルカメラであって、
被写体に係る撮影画像データを取得する撮像手段と、
前記ボイスレコードモードにおける録音中に、撮影処理の開始に応答して前記録音を中断し、前記撮影処理の終了に応答して中断された録音を再開するように制御する録音制御手段と、
を備えることを特徴とするデジタルカメラ。
【請求項２】
請求項１に記載のデジタルカメラであって、
前記録音制御手段が、
操作者による撮影操作の中断に基づいて前記撮影処理が終了したものと判断し、録音の再開を行うように制御することを特徴とするデジタルカメラ。
【請求項３】
請求項１又は請求項２に記載のデジタルカメラであって、
アフタービュー表示を行う表示手段と、
前記ボイスレコードモードにおいては、前記表示手段によるアフタービュー表示を禁止する禁止手段と、
をさらに備えることを特徴とするデジタルカメラ。
【請求項４】
ボイスレコードモードを有するデジタルカメラであって、
前記ボイスレコードモードにおける録音中に、音声データを一時的に記憶する一時記憶手段と、
前記一時記憶手段に記憶された音声データを転送して所定の記録媒体に逐次記録するように制御する記録制御手段と、
前記録音中に、前記撮影処理の開始に応答して前記録音を中断するように制御する録音制御手段と、
を備え、
前記一時記憶手段が、
前記録音の中断時において当該一時記憶手段に一時的に記憶されている音声データを、消去することなく中断時音声データとして保持することを特徴とするデジタルカメラ。
【請求項５】
請求項４に記載のデジタルカメラであって、
前記記録制御手段が、
前記撮影処理の終了後に、前記中断時音声データを前記記録媒体に記録するように制御することを特徴とするデジタルカメラ。
【発明の詳細な説明】
【０００１】
【発明の属する技術分野】
本発明は、ボイスレコードモードを有するデジタルカメラの制御技術に関する。
【０００２】
【従来の技術】
近年、デジタルカメラの多機能化により、モードを切替えて、ボイスレコードとして使用可能なデジタルカメラが登場してきた（例えば、特許文献１）。このようなボイスレコードモードを持つデジタルカメラでは、ボイスレコードモードでの録音中に撮影を行うためには、一旦、モードを切替えた後に、レリーズボタンを押下する撮影操作を行う必要があり、操作が非常に煩雑であるとともに、シャッターチャンスを逸するという問題があった。
【０００３】
そのような問題に対して、録音中にレリーズボタンが押下されると録音を中断してそれまでの音声を録音し、次の画像記録動作に移行するスチルビデオカメラが提案されている（例えば、特許文献２）。
【０００４】
このような技術に関する先行技術文献としては、以下のようなものがある。
【０００５】
【特許文献１】
特開２００２−２２３４０３号公報
【特許文献２】
特開平１０−９８６７０号公報
【０００６】
【発明が解決しようとする課題】
しかしながら、上述したスチルビデオカメラにおいては、撮影のために単に録音を中断するだけで、その後の録音等に関しては全く考えられておらず、使い勝手が悪かった。
【０００７】
本発明は上記課題に鑑みてなされたものであり、シャッターチャンスを逃さず使い勝手の良いデジタルカメラを提供することを目的とする。
【０００８】
【課題を解決するための手段】
上記の課題を解決するために、請求項１の発明は、ボイスレコードモードを有するデジタルカメラであって、被写体に係る撮影画像データを取得する撮像手段と、前記ボイスレコードモードにおける録音中に、撮影処理の開始に応答して前記録音を中断し、前記撮影処理の終了に応答して中断された録音を再開するように制御する録音制御手段とを備えることを特徴とする。
【０００９】
また、請求項２の発明は、請求項１に記載のデジタルカメラであって、前記録音制御手段が、操作者による撮影操作の中断に基づいて前記撮影処理が終了したものと判断し、録音の再開を行うように制御することを特徴とする。
【００１０】
また、請求項３の発明は、請求項１又は請求項２に記載のデジタルカメラであって、アフタービュー表示を行う表示手段と、前記ボイスレコードモードにおいては、前記表示手段によるアフタービュー表示を禁止する禁止手段とをさらに備えることを特徴とする。
【００１１】
また、請求項４の発明は、ボイスレコードモードを有するデジタルカメラであって、前記ボイスレコードモードにおける録音中に、音声データを一時的に記憶する一時記憶手段と、前記一時記憶手段に記憶された音声データを転送して所定の記録媒体に逐次記録するように制御する記録制御手段と、前記録音中に、前記撮影処理の開始に応答して前記録音を中断するように制御する録音制御手段と、を備え、前記一時記憶手段が、前記録音の中断時において当該一時記憶手段に一時的に記憶されている音声データを、消去することなく中断時音声データとして保持することを特徴とする。
【００１２】
また、請求項５の発明は、請求項４に記載のデジタルカメラであって、前記記録制御手段が、前記撮影処理の終了後に、前記中断時音声データを記録するように制御することを特徴とする。
【００１３】
【発明の実施の形態】
以下、本発明の実施形態を図面に基づいて説明する。
【００１４】
＜（１）撮像装置の機能構成＞
図１及び図２は、本発明の実施形態に係るデジタルカメラ１の外観構成を示す図である。図１は正面側からみた概略斜視図であり、図２は背面側からみた概略斜視図である。図１及び図２に示すように、デジタルカメラ１は、薄型の略直方体形状を有している。
【００１５】
図１に示すように、デジタルカメラ１は、その正面側に撮影レンズ２と光学ファインダー４とフラッシュ６とを備えており、その上面側に電源スイッチ３とシャッタボタン（レリーズボタン）９とマイク１２とを備えている。また、図２に示すように、デジタルカメラ１は、その背面側に液晶表示部（以下、「ＬＣＤ」という。）５とボタン群７，８とクイックレビューボタン（以下、「ＱＶボタン」とも称する）１１とスピーカ１３とを備えている。ボタン群７は十字カーソルボタン（ないしカーソルキー）７ａ〜７ｄを有しており、ボタン群８は実行ボタン８ａとメニューボタン８ｂとフラッシュモードボタン８ｃと液晶モニターボタン８ｄとを有している。さらに、図１及び図２に示すように、デジタルカメラ１は、その側方の面に蓋１４とＤＣ入力端子１５とＵＳＢ端子１６とＡＶ出力端子１７とを備えている。
【００１６】
後述するように、デジタルカメラ１は、撮影レンズ２からの被写体像をＣＣＤ（撮像素子）２０（図３）によって光電変換すること等によって、被写体に関する画像データを取得する。
【００１７】
また、電源スイッチ３は、電源のオン操作及びオフ操作を受け付けるために用いられる。具体的には、電源スイッチ３を押下する毎にオン状態への移行とオフ状態への移行とが交互に繰り返される。
【００１８】
レリーズボタン９はユーザ（操作者）による半押し状態（以下、「状態Ｓ１」とも称する）と全押し状態（以下、「状態Ｓ２」とも称する）とを区別して検出可能な２段階押し込みスイッチとなっており、半押し状態のときに自動合焦制御（ＡＦ）、自動露光制御（ＡＥ）、及び自動ホワイトバランス制御（ＡＷＢ）等、本撮影を行うための準備（以下、「撮影処理」と称する）を開始する。つまり、レリーズボタン９は、操作者の押下操作に基づいて撮影準備を行う状態Ｓ１（以下、「撮影準備状態」とも称する）を検出する。また、全押し状態のときに記録用画像（撮影画像）を撮影するための本撮影動作を開始する。
【００１９】
本撮影は、主に露光開始から後述するバッファメモリ５４（図３）への撮影画像データの格納までの処理（以下、「画像取得処理」と称する）と、バッファメモリ５４に格納された撮影画像データに対する画像処理（以下、「撮影画像処理」と称する）と、バッファメモリ５４に格納された撮影画像データを後述するメモリカード９０へ記録するまでの処理（以下、「画像記録処理」と称する）とに大別される。なお、以下では、レリーズボタン９の押下操作に基づいた撮影準備と画像取得処理とを含む一連の処理を撮影画像データを取得する処理として「撮影処理」と称する。つまり、ここでは、操作者によるレリーズボタン９の押下操作（以下、「撮影操作」とも称する）によって、主に撮影処理と撮影画像処理と画像記録処理とを含む撮影動作が行われる。
【００２０】
ＬＣＤ５は、本撮影前のプレビュー表示（「ライブビュー表示」とも称する）、本撮影直後に撮影画像を確認するためのクイックビュー表示（「アフタービュー表示」とも称する）、及び記録画像の再生表示等を行う。このＬＣＤ５は、所定数（ここでは３２０×２４０）の表示画素を有しており、カラー画像を表示することができる。
【００２１】
操作者は、ＬＣＤ５におけるライブビュー表示によって画像における被写体の位置及び大きさ等を知覚し、フレーミング動作を行うことができる。なお、ＬＣＤ５を用いることなく光学ファインダー４のみを用いてフレーミング動作を行うことも可能である。
【００２２】
また、ＱＶボタン１１は、撮影モードと再生モードと切り替える機能を有している。具体的には、後述するように、原則としてＱＶボタン１１が押下される毎に、これら２つのモードが順次に且つ循環的に（サイクリックに）選択される。
【００２３】
メニューボタン８ｂは、ＬＣＤ５へのメニューの表示及び非表示を切り替える機能を有している。具体的には、メニューボタン８ｂが押下される毎に、メニュー画面と非メニュー画面とが交互にＬＣＤ５に表示される。また、ＬＣＤ５に表示されたメニュー画面における表示カーソルは、十字カーソルボタン７ａ〜７ｄを用いて４方向に移動させることができる。さらに、所望の選択肢が選択された状態で実行ボタン８ａを押下することによって、その選択肢に対応する設定動作等が実行される。このような操作によって、各種撮影パラメータの設定等を行うことが可能である。
【００２４】
フラッシュモードボタン８ｃは、フラッシュ６のモードを決定するためのボタンである。フラッシュモードボタン８ｃが押下される毎に、自動発光、強制発光、発光禁止の順序でフラッシュモードが切り替わる。
【００２５】
液晶モニターボタン８ｄは、液晶モニターの表示・非表示を切り替えるためのボタンである。液晶モニターボタン８ｄが押下される毎に、ＬＣＤ５に画像等が表示された状態（表示状態）と表示されない状態（非表示状態）とが交互に切り替わる。非表示状態にしておけば消費電力を低減できる。
【００２６】
また、マイク１２は、動画撮影、ボイスメモ、ボイスレコーディング、アフターレコーディング（アフレコ）時において、記録用の音声データ（「記録音声」とも称する）を取得する（録音する）ために用いられる。
【００２７】
スピーカ１３は、音声を出力する機能を有しており、音声データあるいは音声付き画像データ（静止画、動画）を再生するとき等に用いられる。
【００２８】
さらに、蓋１４は、電池室及びメモリカード装着部を覆う部分に設けられている。つまり、蓋１４の内部側には、電源電池ＢＴを収容する電池室と着脱自在な記録媒体であるメモリカード９０を装着するメモリカード装着部とが設けられている。電源電池ＢＴ及びメモリカード９０は、それぞれ、電池室及びメモリカード装着部に対して着脱自在に装着される。本撮影によって得られる画像データ（撮影画像データ）及びボイスレコーディング時に得られる音声データ等は、この挿入装着部にセットされるメモリカード９０に記録される。つまり、記録媒体としてのメモリカード９０は、バッファメモリ５４に一時的に記憶された撮影画像データを記録する一方で、録音中にバッファメモリ５４に一時的に記憶された音声データの転送を受けてそれを逐次記録する。また、デジタルカメラ１は、電源電池ＢＴからの電力供給を受けることもできるし、ＤＣ入力端子１５を用いてＡＣアダプタ（不図示）等からの電力供給を受けることもできる。
【００２９】
ＵＳＢ端子１６は、パーソナルコンピュータ（「パソコン」とも略称する）等とのデータ通信を行うための端子である。ＵＳＢ端子１６にＵＳＢ規格のケーブル等を接続することによって外部機器（パソコン等）とのデータ通信を行うことができる。
【００３０】
ＡＶ出力端子１７は、テレビ等の外部映像音響機器（ＡＶ機器）に接続するための端子である。所定のＡＶコードをこのＡＶ出力端子１７と外部映像音響機器側の入力端子とを接続することによって、その外部映像音響機器に画像及び／又は音声を出力することができる。
【００３１】
次に、図３を参照しつつ、デジタルカメラ１の内部構成について説明する。図３は、デジタルカメラ１の内部機能を示すブロック図である。
【００３２】
ＣＣＤ（撮像素子）２０は被写体像を撮影して電子的な画像信号（画像データ）、即ち、被写体に係る画像データ（撮影画像データ等）を生成・取得する手段として機能するものであり、例えば１６００×１２００個の画素を有し、撮影レンズ２によって結像された被写体の光像を、画素毎にＲ（赤），Ｇ（緑），Ｂ（青）の色成分の画像信号（各画素で受光された画素信号の信号列からなる信号）に光電変換して出力する。
【００３３】
ＣＣＤ２０から得られる画像信号はアナログ信号処理回路２１に与えられ、アナログ信号処理回路２１において画像信号（アナログ信号）に対して所定のアナログ信号処理が施される。アナログ信号処理回路２１は相関二重サンプリング回路（ＣＤＳ）とオートゲインコントロール回路（ＡＧＣ）とを有しており、相関二重サンプリング回路により画像信号のノイズ低減処理を行い、オートゲインコントロール回路でゲインを調整することにより画像信号のレベル調整を行う。
【００３４】
Ａ／Ｄ変換器２２は、画像信号の各画素信号を１２ビットのデジタル信号に変換するものである。変換後のデジタル信号（画像データ）は一時的にＲＡＭ５０ａ内のバッファメモリ５４に格納される。つまり、ＣＣＤ２０が露光されることにより得られる画像信号がアナログ信号処理回路２１及びＡ／Ｄ変換器２２を介してデジタル画像データとしてバッファメモリ５４に格納される。そして、バッファメモリ５４に保持された画像データに対して、後述する画像処理部５１による、ＷＢ（ホワイトバランス）処理、γ補正処理、及び色補正処理等が施された後、圧縮／伸張部５２による圧縮処理等が施される。
【００３５】
また、マイク１２から得られる音声信号（音声データ）は、音声処理部５３に入力される。音声処理部５３に入力された音声信号は音声処理部５３内に設けられたＡ／Ｄ変換器（不図示）によりデジタル信号（デジタルデータ）に変換され、一時的にバッファメモリ５４に格納される。
【００３６】
操作部３０は、上述した電源スイッチ３、ボタン群７，８、レリーズボタン９、ＱＶボタン１１等を含む操作部であり、操作者がデジタルカメラ１の設定状態を変更操作する際や撮影操作を行う際等に用いられる。
【００３７】
電源４０は、デジタルカメラ１に対する電力供給源である。デジタルカメラ１は、リチウムイオン電池等の二次電池を電源電池ＢＴとして用いて駆動される。
【００３８】
全体制御部５０は、内部にＲＡＭ５０ａ及びＲＯＭ５０ｂを備えたマイクロコンピュータによって構成され、マイクロコンピュータが所定のプログラムを実行することにより、上記各部を統括的に制御する手段として機能する。全体制御部５０は、たとえば、ライブビュー表示処理、及びメモリカードへの記録処理等をも制御する。なお、ＲＡＭ５０ａは、高速アクセス可能な半導体メモリ（たとえばＤＲＡＭ）であり、ＲＯＭ５０ｂは電気的にデータの書き換えが可能な不揮発性の半導体メモリ（たとえばフラッシュＲＯＭ）として構成される。
【００３９】
また、ＲＡＭ５０ａ内における一部の領域は、一時記憶用のバッファエリアとして機能する。ここでは、このバッファエリアをバッファメモリ５４と称するものとする。バッファメモリ５４は、撮影処理に基づいて取得されたデジタルデータ化された画像データ（撮影画像データ等）を一時的に記録する一方、録音中にデジタルデータ化された音声データを一時的に記憶する。
【００４０】
全体制御部５０は、画像処理部５１、圧縮／伸張部５２、音声処理部５３を有している。これらの各処理部５１，５２，５３は、マイクロコンピュータが所定のプログラムを実行することにより実現される機能部である。
【００４１】
画像処理部５１は、ＷＢ処理、γ補正処理等の各種のデジタル画像処理を施す処理部である。ＷＢ処理は、Ｒ，Ｇ，Ｂの各色成分のレベル変換を行い、カラーバランスを調整する処理であり、γ補正処理は、画素データの階調を補正する処理である。圧縮／伸張部５２は、画像データの圧縮処理及び伸張処理を行う処理部である。圧縮方式としては、例えばＪＰＥＧ方式等が採用される。音声処理部５３は、音声データに対する各種のデジタル処理を施す処理部である。
【００４２】
また、全体制御部５０は、レリーズボタン９の押下操作に応じたＡＦ，ＡＥ，及びＡＷＢを含む撮影準備の各動作を制御する機能を有する。さらに、全体制御部５０は、ボイスレコードモードにおける録音中にレリーズボタン９が押下されると、撮影処理を開始させるとともに録音を中断し、撮影処理の終了に応答して中断された録音を再開するように制御する。このように、録音中に撮影を割り込ませることを以下では「割り込み撮影」と称し、割り込み撮影については後程詳述する。
【００４３】
また、カードインタフェース（カードＩ／Ｆ）６０は、デジタルカメラ１側面の挿入装着部に対して装着されるメモリカード９０への画像データの書込み及び読出しを行うためのインタフェースである。
【００４４】
メモリカード９０に対する画像データの読み書き時には、圧縮・伸張部４６において例えばＪＰＥＧ方式で画像データの圧縮処理又は伸張処理が行われ、カードインタフェース６０を介して画像データがバッファメモリ５４とメモリカード９０との間で送受信される。また、音声データの読み書き時においてもカードインタフェース６０を介して音声データがバッファメモリ５４とメモリカード９０との間で送受信される。
【００４５】
さらに、デジタルカメラ１は、このカードインタフェース６０を用いて、画像及び音声等のデータを送受信するだけでなく、デジタルカメラ１で動作するプログラムを取り込むことも可能である。たとえば、メモリカード９０に記録される制御プログラムを、全体制御部５０のＲＡＭ５０ａ又はＲＯＭ５０ｂ内に取り込むことができる。これにより、制御プログラムを更新すること等が可能である。
【００４６】
また、ＵＳＢ端子１６等を介した外部機器（外部コンピュータ等）との通信によっても、画像あるいは音声等の各種のデータ、及び制御プログラム等を送受信することが可能である。たとえば、外部コンピュータの読取装置（光学ドライブ装置等）にセットされた記録媒体（ＣＤ−Ｒ／ＲＷ、ＣＤ−ＲＯＭ等）に記録された各種のデータ及びプログラム等を、ＵＳＢ端子１６を介して取得することが可能である。
【００４７】
＜（２）撮影画像及び記録音声＞
つぎに、撮影画像及び記録音声について説明する。
【００４８】
図４はメモリカード９０内のフォルダ構成を概念的に示す図である。図４に示すように、撮影画像および記録音声のファイルは、ＤＣＦ（Ｄｅｓｉｇｎ  ｒｕｌｅ  ｆｏｒ  Ｃａｍｅｒａ  Ｆｉｌｅ  ｓｙｓｔｅｍ）の形式にしたがって作成されて記録される。ここでは、各撮影画像ファイル及び音声ファイルは、フォルダ「１００ＭＬＴ０９」の中に格納される。フォルダ「１００ＭＬＴ０９」は、フォルダ「ＤＣＩＭ」の下に作成されるフォルダであり、フォルダ「ＤＣＩＭ」は、ルートフォルダの下に作成されるフォルダである。以下、このフォルダ「１００ＭＬＴ０９」を「記録フォルダ」とも称する。
【００４９】
各撮影画像ファイルの名称は、「Ｐｉｃｔ０１０２．ｊｐｇ」等のように、先頭の８文字（Ｐｉｃｔ０１０２）とそれに続くピリオド（．）と３文字の拡張子（ｊｐｇ）とで構成されている。また、各音声ファイルの名称も、同様に、「Ｐｉｃｔ０１０１．ｗａｖ」等のように、先頭の８文字（Ｐｉｃｔ０１０１）とそれに続くピリオド（．）と３文字の拡張子（ｗａｖ）とで構成されている。そして、これらファイルの名称の先頭の８文字のうち、後半の４つの数字は撮影画像（撮影画像ファイル）及び記録音声（音声ファイル）の作成順に連続的に付与されるシリアル番号である。
【００５０】
したがって、例えば、デジタルカメラ１による録音と撮影を交互に繰り返すと、メモリカード９０内には、「Ｐｉｃｔ０００１．ｗａｖ」，「Ｐｉｃｔ０００２ｊｐｇ」，「Ｐｉｃｔ０００３．ｗａｖ」，「Ｐｉｃｔ０００４．ｊｐｇ」，「Ｐｉｃｔ０００５．ｗａｖ」，「Ｐｉｃｔ０００６ｊｐｇ」，．．．という名称のファイルがこの順序で作成されて格納される。また、撮影のみを繰り返すと、メモリカード９０内には、「Ｐｉｃｔ０００１．ｊｐｇ」，「Ｐｉｃｔ０００２ｊｐｇ」，「Ｐｉｃｔ０００３．ｊｐｇ」，．．．という名称のファイルがこの順序で作成されて格納される。さらに、録音のみを繰り返すと、メモリカード９０内には、「Ｐｉｃｔ０００１．ｗａｖ」，「Ｐｉｃｔ０００２ｗａｖ」，「Ｐｉｃｔ０００３．ｗａｖ」，．．．という名称のファイルがこの順序で作成されて格納される。
【００５１】
図５は撮影画像ファイルの構成を概念的に示す図であり、図６は音声ファイルの構成を概念的に示す図である。
【００５２】
図５に示すように、各撮影画像ファイルは、所定形式（ここではＥｘｉｆ形式）のファイルとして作成される。具体的には、各撮影画像のファイルは、タグ情報ＴＧと、ＪＰＥＧ形式で圧縮された高解像度の画像データ（ここでは、１６００×１２００画素の画像信号）ＤＰと、サムネイル表示用の画像データ（ここでは、８０×６０画素の画像信号）ＤＭとを有する。このうち、タグ情報ＴＧには、「ファイル名」、「撮影日時」、「撮影に使用されたカメラのシリアルナンバー」、及び「関連する音声ファイル」等の情報が含まれる。
【００５３】
また、図６に示すように、各音声ファイルも、所定形式（ここではＥｘｉｆ形式）のファイルとして作成される。具体的には、各記録音声のファイルは、タグ情報ＴＧと、デジタル処理された音声データＤＳとを有する。このうち、タグ情報ＴＧには、「ファイル名」、「録音開始日時」、「録音に使用されたカメラのシリアルナンバー」、及び「関連する画像ファイル」等の情報が含まれる。
【００５４】
また、図５及び図６に示すように、各ファイルには、その属性ＡＴが定められている。具体的には、「読み取り専用属性（Ｒ）」、「アーカイブ属性（Ａ）」、「システムファイル属性（Ｓ）」、及び「隠しファイル属性（Ｈ）」の４つの属性のいずれかが各ファイルに対して決定される。撮影画像及び記録音声に対しては、通常、「アーカイブ属性（Ａ）」及び「読み取り専用属性（Ｒ）」のいずれかが付与される。「アーカイブ属性」が与えられたファイルに対しては、読出動作及び書込動作の両方が許可されるが、「読み取り専用属性」が与えられたファイルに対しては、読出動作のみが許可され、書込動作が禁止される。
【００５５】
なお、このデジタルカメラ１では静止画像の撮影だけでなく、動画の撮影等を行うことも可能である。
【００５６】
＜（３）デジタルカメラにおける状態遷移の概略＞
図７はデジタルカメラ１における状態遷移図であり、ＬＣＤ５における表示状態を中心に示す図である。図７の角丸四角の中には、ＬＣＤ５における表示画面が示されている。ここでは、まず、図７を参照しながらデジタルカメラ１における状態遷移の概要について説明する。
【００５７】
まず、電源スイッチ３の押下に応じて電源がオン状態にされると、デジタルカメラ１は状態ＳＴ１０に移行する。状態ＳＴ１０においては、デジタルカメラ１は「撮影モード」に設定され、撮影のためのプレビュー表示であるライブビュー表示がＬＣＤ５で行われる。「撮影モード」は画像（動画、静止画）又は音声を、撮影又は録音するモードである。
【００５８】
また、デジタルカメラ１は、上述したように、「撮影モード」の他に、「再生モード」を有している。「再生モード」は撮影画像（及び記録音声等）のファイルを再生するモードである。
【００５９】
これらのモードの切替には、ＱＶボタン１１が用いられる。原則として、ＱＶボタン１１が押下される毎に、デジタルカメラ１は２つのモードに対して順次に且つ循環的に（サイクリックに）移行する。ただし、例外的に、撮影画像ファイルおよび音声ファイルがメモリカード９０内に存在しないときには「再生モード」には移行しない。
【００６０】
以下では、このモード切替についてさらに詳細に説明する。
【００６１】
状態ＳＴ１０においてＱＶボタン１１が一度押下されると、メモリカード９０内に撮影画像ファイル又は音声ファイルが保存（格納）されているか否かが判定される（状態ＳＴ４１）。
【００６２】
状態ＳＴ４１において、メモリカード９０内に撮影画像／音声ファイルが１つでも記録されていると判定された場合には状態ＳＴ２０に移行する。状態ＳＴ２０は、デジタルカメラ１が「再生モード」に設定され、ＬＣＤ５に再生画像等が表示されている状態である。状態ＳＴ２０に移行すると、最初に、直近に撮影された画像又は直近に録音された音声に対応する音声アイコン等がＬＣＤ５に表示される。また、左右方向のキー７ｃ又は７ｄを押下する毎に、ＬＣＤ５での表示対象ファイルが前方向あるいは後方向に順次に変更される。
【００６３】
また、状態ＳＴ２０においてＱＶボタン１１がもう一度押下されたときには、状態ＳＴ１０に戻る。
【００６４】
一方、状態ＳＴ４１において、メモリカード９０内に撮影画像／音声ファイルが一つも記録されていないと判定された場合には状態ＳＴ４３に移行し、「メモリカードに画像／音声データが保存されていません」という文字を表示して状態ＳＴ１０に戻る。このとき、ＱＶボタン１１の押下に応じて、「メモリカードに画像／音声データが保存されていません」という文字がＬＣＤ５に一時的に表示されるので、操作者はモードを変更することができないことを認識できる。
【００６５】
以上の動作によれば、撮影画像／音声ファイルがメモリカード９０内に記録されているときには、ＱＶボタン１１が押下される毎に、これら２つのモード（「撮影モード」、「再生モード」）が循環的に（サイクリックに）選択される。
【００６６】
つぎに、状態ＳＴ１０，ＳＴ２０からの更なる状態遷移について説明する。
【００６７】
状態ＳＴ１０においてメニューボタン８ｂを押下すると状態ＳＴ１１へと移行し、再びメニューボタン８ｂを押下すると状態ＳＴ１０に戻る。状態ＳＴ１１は、撮影モード内のサブモード（「単写モード」、「連写モード」、「ボイスメモモード」、「ボイスレコードモード」、「動画モード」、「カメラのセットアップ」）への変更等を行うことが可能な状態であり、撮影種類等を設定するための「撮影メニュー」がＬＣＤ５に表示される。状態ＳＴ１１においては、ライブビュー表示が背景画像として表示されたまま、撮影メニュー画面がオーバーレイ表示される。
【００６８】
また、状態ＳＴ２０においてメニューボタン８ｂを押下すると状態ＳＴ２１へと移行し、再びメニューボタン８ｂを押下すると状態ＳＴ２０に戻る。状態ＳＴ２１は、再生モードでの各種の設定（「プロテクト」、「削除」、「スライドショー」、「プリント指定」、「画像編集」、「カメラのセットアップ」の設定）を行うことが可能な状態であり、各種の設定動作を行うためのメニュー画面である「再生メニュー」がＬＣＤ５に表示される。状態ＳＴ２１においては、再生中の撮影画像や音声アイコン等が背景画像として表示されたまま、再生メニュー画面がオーバーレイ表示される。
【００６９】
撮影メニューと再生メニューとを比較すると判るように、「カメラのセットアップ」の項目は、いずれのメニューにおいても存在している。したがって、「カメラのセットアップ」の項目は、いずれのモードからでも呼び出せる。
【００７０】
また、各メニュー画面の各項目の左端には、３つの種類の記号（具体的には、白い菱形、黒い菱形、×印）のいずれかが表示される。×印は選択不可能な項目であることを意味し、菱形の記号は選択可能な項目であることを意味している。また、黒い菱形は現在選択されている項目を意味している。操作者が、上下方向のキー７ａ又は７ｂを用いて選択項目を変更し、所望の選択項目の記号が黒い菱形に変更された状態で、実行ボタン８ａを押下すると、その選択項目に対する動作（具体的には、サブモードの設定や更なるサブメニュー画面の表示）が実行される。尚、×印の付与に代えて、選択項目の文字を淡く表示することにより選択不可能な項目であることを意味するようにしてもよい。
【００７１】
例えば、状態ＳＴ１１における撮影メニューにおいて、操作者が、上下方向ののキー７ａ，７ｂ及び実行ボタン８ａの押下操作によって「ボイスレコードモード」を選択した場合には、デジタルカメラ１がボイスレコードモードに設定される。このボイスレコードモードは、通常、音声のみを記録するモードであるが、録音中にも思わずシャッターチャンスを迎えることもあるため、デジタルカメラ１では、録音中において撮影を割り込ませる割り込み撮影が可能となっている。
【００７２】
＜（４）ボイスレコードモードにおける動作＞
＜（４−１）録音中の割り込み撮影の概要＞
図８はボイスレコードモードにおける録音中の割り込み撮影を説明するためのタイムチャートで、上から順に実行ボタン８ａの押下、録音、レリーズボタン９の押下、撮影、及びファイル処理を示すタイミングとなっている。
【００７３】
図８に示すように、ボイスレコードモードに設定された状態で、実行ボタン８ａが押下されると、録音を開始し（時刻ｔ１）、メモリカード９０内に音声ファイル（ここでは、音声ファイル名（Ｐｉｃｔ０１０１．ｗａｖ））を作成する処理（音声ファイル作成処理）を行い、音声データのメモリカード９０への記録処理（録音処理）を順次行いつつ音声ファイルの更新を行う。
【００７４】
その後、録音中において、レリーズボタン９が半押しされて状態Ｓ１となると、バッファメモリ５４にて撮影準備の迅速な動作に必要な空き容量を確保するために、録音を一旦中断して、撮影処理に包含されるＡＦ等を含む撮影準備の動作を開始する（時刻ｔ２）。この録音の中断時に、バッファメモリ５４に一時的に記憶されている音声データは、消去されずに保持される。
【００７５】
さらに、レリーズボタン９が全押しされて状態Ｓ２となると、本撮影を開始し（時刻ｔ３）、撮影処理に包含される一連の動作（露光、ＣＣＤ２０からの画像信号（撮影画像データ）の読出し、バッファメモリ５４への撮影画像データの一時記憶）と、撮影画像データに対する画像処理（撮影画像処理）とを行うとともに、その撮影画像データのメモリカード９０への記録処理（画像記録処理）を行い、その結果、撮影画像データに対応する撮影画像ファイル（ここでは、撮影画像ファイル名（Ｐｉｃｔ０１０２．ｊｐｇ））をメモリカード９０内に記録する。
【００７６】
そして、撮影画像処理や画像記録処理の途中までは、撮影画像データ等を保持するために、バッファメモリ５４には録音に必要な空き容量が確保されないが、撮影処理後であって画像記録処理が終了する頃には、バッファメモリ５４には録音に必要な空き容量が確保されるため、自動的に録音を再開し（時刻ｔ４）、メモリカード９０内に別の音声ファイル（ここでは、音声ファイル名（Ｐｉｃｔ０１０３．ｗａｖ））を作成する処理を行い、音声データのメモリカード９０への記録処理を順次行いつつ音声ファイルの更新を行う。図８では示していないが、録音の中断時においてバッファメモリ５４に一時的に記憶されていた音声データを、録音を再開後に、録音の中断前に作成された音声ファイル（ここでは、音声ファイル名（Ｐｉｃｔ０１０１．ｗａｖ））に追記して記録する。なお、この音声データの追記に関しては、後述するボイスレコードモードにおける動作フローにおいてさらに説明する。
【００７７】
そして、再度、実行ボタン８ａが押下されると、録音が終了し（時刻ｔ５）、図５及び図６に示したように、各ファイルのタグ情報ＴＧに「関連する画像ファイル」や「関連する音声ファイル」を示す情報（リンク情報）が書き込まれる。具体的には、ここでは、撮影画像ファイル（Ｐｉｃｔ０１０２．ｊｐｇ）のタグ情報ＴＧには、関連する音声ファイルとしてファイル名（Ｐｉｃｔ０１０１．ｗａｖ，Ｐｉｃｔ０１０３．ｗａｖ）が記述される。また、音声ファイル（Ｐｉｃｔ０１０１．ｗａｖ，Ｐｉｃｔ０１０３．ｗａｖ）のタグ情報ＴＧには、それぞれ関連する撮影画像ファイルとしてファイル名（Ｐｉｃｔ０１０２．ｊｐｇ）が記述される。
【００７８】
＜（４−２）ボイスレコードモードにおける動作フロー＞
図９から図１１はボイスレコードモードにおける動作フローを示すフローチャートである。本動作は、全体制御部５０の制御によって実行される。
【００７９】
まず、ボイスレコードモードに設定されると、ボイスレコードモードの動作フローが開始し、ステップＳ１に進む。
【００８０】
ステップＳ１では、録音中フラグ（Ｆ）＝０に設定し、録音の動作の初期化を行い、ステップＳ２に進む。なお、録音中Ｆは、録音を行っていないことを示す０、及び録音中であることを示す１に設定することができ、この録音中Ｆの設定状態は全体制御部５０で管理制御される。
【００８１】
ステップＳ２では、アフタービュー表示を行うように設定されているか否かを判別する。ここでは、アフタービュー表示を行うように設定されている場合はステップＳ３に進み、設定されていない場合はステップＳ４に進む。アフタービュー表示の有無の設定は全体制御部５０において管理制御される。
【００８２】
ステップＳ３では、アフタービュー表示を行わない設定に変更しステップＳ４に進む。つまり、全体制御部５０が、ボイスレコードモードにおいては、ＬＣＤ５によるアフタービュー表示の実施を禁止する。ここで、仮にボイスレコードモードにおいてアフタービュー表示を行うように設定されるとすれば、録音中に撮影が割り込んだ場合、アフタービュー表示中（例えば１０秒間）には撮影画像データがバッファメモリ５４に一時的に記憶されたままになるため、その間は、バッファメモリ５４に録音を再開するための空き容量が生じないこととなる。そこで、ここでは、アフタービュー表示を行わないように設定する。その結果、撮影処理の終了後に速やかに録音を再開することができる。なお、ステップＳ３の処理には、カメラの設定で「アフタービュー表示を行う」が選択設定されていてもその設定を無視する場合や、一律にアフタービュー表示を行う仕様のカメラであってもボイスレコードモードに設定されたときだけはアフタービュー表示を禁止するようにする場合等がある。
【００８３】
ステップＳ４では、ライブビュー表示をする状態（ライブビューオン状態）になっているか否かを判別する。ここでは、ライブビューオン状態になっている場合はステップＳ５に進み、なっていない場合はステップＳ６に進む。
【００８４】
ステップＳ５では、ライブビュー表示をしない状態（ライブビューオフ状態）としてステップＳ６に進む。つまり、全体制御部５０が、ボイスレコードモードにおいては、ＬＣＤ５によるライブビュー表示の実施を禁止する。ここで、仮にボイスレコードモードにおいてライブビュー表示を行うように設定されるとすると、ライブビュー表示を行うにはバッファメモリ５４に画像データを順次記憶していく必要性があり、バッファメモリ５４において録音に必要な空き容量を十分確保することができなくなり、記録音声に音途切れ等の音質の劣化を生じることも考えられる。そこで、ここでは、ライブビュー表示を行わないように設定する。つまり、全体制御部５０が、ボイスレコードモードにおいては、ライブビュー表示の実施を禁止する。その結果、録音される音声の品質の劣化等を防止することができる。
【００８５】
ステップＳ６では、実行ボタン８ａが押下（オン）されたか否かを判別する。ここでは、実行ボタン８ａがオンされた場合はステップＳ７に進み、実行ボタン８ａがオンされていない場合は図１０のステップＳ２１に進む。
【００８６】
ステップＳ７では、録音中Ｆ＝１に設定されているか否かを判別する。ここでは、録音中Ｆ＝１に設定されている場合はステップＳ８に進み、録音中Ｆ＝１に設定されていない場合はステップＳ１０に進む。
【００８７】
ステップＳ８では、録音中Ｆ＝０に設定しステップＳ９に進む。ここで、録音中Ｆ＝０に設定するのは、もともと録音中Ｆ＝１に設定された状態で実行ボタン８ａが押下されているため、録音を終了するために実行ボタン８ａが押下されたものと判断することができるからである。
【００８８】
ステップＳ９では、録音を終了し図１０のステップＳ２１に進む。
【００８９】
ステップＳ１０では、録音中Ｆ＝１に設定しステップＳ１１に進む。ここで、録音中Ｆ＝１に設定するのは、もともと録音中Ｆ＝０に設定された状態で実行ボタン８ａが押下されているため、録音を開始するために実行ボタン８ａが押下されたものと判断することができるからである。
【００９０】
ステップＳ１１では、録音を開始するとともに、メモリカード９０内に新規な音声ファイル（例えば、図８の音声ファイル（Ｐｉｃｔ０１０１．ｗａｖ）に相当）を作成し、図１０のステップＳ２１に進む。
【００９１】
ステップＳ２１では、レリーズボタン９が半押しされた状態Ｓ１であるか否かを判別する。ここでは、状態Ｓ１であればステップＳ２２に進み、状態Ｓ１でなければステップＳ３０に進む。つまり、全体制御部５０が、レリーズボタン９による状態Ｓ１（撮影準備状態）の検出に基づいて撮影処理が開始したものと判断するように制御する。なお、ここで、状態Ｓ１である場合には、レリーズボタン９が半押しされることにより状態Ｓ１となる場合と、レリーズボタン９が半押しされたまま状態Ｓ１が保持されている場合とがある。また、状態Ｓ１でない場合には、もともとレリーズボタン９が半押しされていない場合と、状態Ｓ１が解除された場合とがある。また、状態Ｓ１でない場合には、もともと状態Ｓ１でない状態が保持される場合と、もともと状態Ｓ１である状態から状態Ｓ１となる場合とがある。
【００９２】
まず、ステップＳ２１において状態Ｓ１であると判断された場合、即ち、撮影処理を行う場合（ステップＳ２２に進む場合）について説明する。
【００９３】
ステップＳ２２では、録音中Ｆ＝１に設定されているか否かを判別する。ここでは、録音中Ｆ＝１に設定されていればステップＳ２３に進み、録音中Ｆ＝１に設定されていなければステップＳ２６に進む。
【００９４】
ステップＳ２３では、録音中Ｆ＝０に設定しステップＳ２４に進む。
【００９５】
ステップＳ２４では、録音を中断しステップＳ２５に進む。ここでは、上述したように、バッファメモリ５４において撮影準備の迅速な動作に必要な空き容量を確保するために、録音を一旦中断するのである。つまり、全体制御部５０が、録音中に撮影処理の開始に応答して録音を中断するように制御する。なお、仮に、撮影準備を行う際に録音を中断しないとすれば、容量が大きく非常に高価なメモリをバッファメモリ５４に適用しない限り、撮影準備と録音とを並行して迅速かつ確実に行うことが極めて困難となる。例えば、撮影準備と録音とを並行して行う場合は、ＡＦ等を含む撮影準備の動作に長時間を要し、操作者の意図よりも実際の撮影タイミングが遅れてしまう等の弊害を生じる。よって、ここでは、低コストで録音中に迅速な割り込み撮影が可能となるように、撮影準備の開始に対応させて録音を一旦中断するのである。なお、ここでは、録音を中断した旨を全体制御部５０によって管理する。
【００９６】
ステップＳ２５では、録音を中断した際にバッファメモリ５４に一時的に記憶されている音声データ（以下、「中断時音声データ」とも称する）を保持するように設定し、ステップＳ２６に進む。つまり、ここでは、バッファメモリ５４が、録音の中断時に一時的に記憶されている音声データを消去することなく中断時音声データとして保持する。
【００９７】
ステップ２６では、ＡＦ、ＡＥ、ＡＷＢを含む撮影準備が行われ、ステップＳ２７に進む。
【００９８】
ステップＳ２７では、レリーズボタン９が押下されて状態Ｓ２になったか否かを判別する。ここでは、状態Ｓ２になっていればステップＳ２８に進み、状態Ｓ２になっていなければステップＳ２１に戻る。
【００９９】
ステップＳ２８では、ＣＣＤ２０における露光が行われステップＳ２９に進む。ここでは、ＣＣＤ２０に結像された被写体の光像が各画素毎に光電変換されて電荷信号が蓄積される。
【０１００】
ステップＳ２９では、ステップＳ２８においてＣＣＤ２０に蓄積された電荷信号をＣＣＤ２０から画像信号として読出して、アナログ信号処理回路２１及びＡ／Ｄ変換器２２を介して、デジタル信号化された画像信号をバッファメモリ５４へ転送し、バッファメモリ５４に一時的に記憶させ、図１１のステップＳ４１に進む。
【０１０１】
ステップＳ４１では、ステップＳ２９でバッファメモリ５４に一時的に記憶された画像信号に対する画像処理（撮影画像処理）とメモリカード９０への記録処理（画像記録処理）を開始し、ステップＳ４２に進む。なお、ここでメモリカード９０に記録される撮影画像ファイルは、例えば、図８の撮影画像ファイル（Ｐｉｃｔ０１０２．ｊｐｇ）に相当する。
【０１０２】
ステップＳ４２では、バッファメモリ５４において録音に要する所定の空き容量があるか否かを判別する。ここでは、バッファメモリ５４において録音に要する所定の空き容量があると判別される場合はステップＳ４３に進み、所定の空き容量がないと判別される場合はステップＳ４６に進む。ここで、バッファメモリ５４において録音に要する所定の空き容量が生じる状態とは、撮影処理等が終了した後に画像記録処理に移行することによって、バッファメモリ５４からメモリカード９０に撮影画像データが転送される等して、バッファメモリ５４内の撮影画像データの容量が減少した状態を意味する。そして、ここでは、全体制御部５０が、撮影処理によって取得される撮影画像データがバッファメモリ５４に一時的に記憶された後に、バッファメモリ５４において録音に要する所定の空き容量ができた場合には、間接的に撮影処理が終了したものと判断するように制御する。他の観点から言えば、ここでは、全体制御部５０が、撮影画像データがバッファメモリ５４に記録された後に撮影処理が終了したか否かを判断するのである。
【０１０３】
ステップＳ４３では、録音中の割り込み撮影によって、録音が中断されたか否かを判別する。ここでは、録音が中断されたと判別される場合にはステップＳ４４に進み、中断されていないと判別される場合にはステップＳ４６に進む。
【０１０４】
ステップＳ４４では、録音中Ｆ＝１に設定しステップＳ４５に進む。
【０１０５】
ステップＳ４５では、割り込み撮影によって中断された録音を再開するとともに、新規音声ファイル（例えば、図８の音声ファイル（Ｐｉｃｔ０１０３．ｗａｖ）に相当）を作成しステップＳ４６に進む。
【０１０６】
よって、ここでは、撮影処理によって得られる撮影画像データの取得後に、ステップＳ４２で撮影処理が終了したか否かを判別し、バッファメモリ５４に所定の空き容量ができた場合には、撮影処理が終了したものと判断する。そして、撮影処理の終了に応答して録音を再開する。その結果、特に撮影画像データを取得するまでの撮影処理等に支障を与えることなく速やかに録音を再開することができる。
【０１０７】
ステップＳ４６では、撮影に伴う撮影画像処理及び画像記録処理が終了したか否かを判別する。ここでは、撮影画像処理及び画像記録処理が終了していないと判別される場合にはステップＳ４７に進み、終了したと判別される場合にはステップＳ４９に進む。
【０１０８】
ステップＳ４７では、録音中Ｆ＝１に設定されていればステップＳ４８に進み、設定されていなければステップＳ４１に戻る。
【０１０９】
ステップＳ４８では、録音処理に伴う音声ファイルの更新を行いステップＳ４１に戻る。つまり、撮影に伴う撮影画像処理及び画像記録処理が終了するまではステップＳ４１からステップＳ４８までの処理が繰り返される。
【０１１０】
そして、ここでは、ステップＳ４１からステップＳ４８までの処理を繰り返す間、ステップＳ４２でバッファメモリ５４において録音に要する所定の空き容量があると判別された後は、録音と撮影画像処理及び画像記録処理とが並行して行われる。
【０１１１】
ここでは、シャッターチャンスを逃さないという観点から、撮影処理に含まれる撮影準備の動作を迅速に行うために、撮影処理の間は録音を一旦中断する。しかし、撮影処理が終了し、撮影画像処理及び画像記録処理を残すのみとなった場合には、画像記録処理を迅速に済ませるよりも、中断された録音を再開する方を優先させるべきとの観点から、ここでは、画像記録処理等と録音とが並行して行われる。
【０１１２】
一方、撮影に伴う撮影画像処理及び画像記録処理が終了した場合には、バッファメモリ５４に十分な空き容量が生じるため、バッファメモリ５４に中断時音声データが記憶されている場合にも、その音声データを処理するための空き容量をも十分確保することができる。よって、そのような場合にはステップＳ４６からステップＳ４９に進むのである。
【０１１３】
ステップＳ４９では、バッファメモリ５４に中断時音声データが保持されているか否かを判別する。ここでは、中断時音声データが保持されていると判別される場合にはステップＳ５０に進み、保持されていないと判別される場合は図９のステップＳ６に戻る。
【０１１４】
ステップＳ５０では、バッファメモリ５４に記憶された中断時音声データを録音中断前でかつ直近に作成された音声ファイル（例えば、図８の音声ファイル（Ｐｉｃｔ０１０１．ｗａｖ）に相当）に追記し、バッファメモリ５４に記憶されていた中断時音声データを削除（クリア）して、図９のステップＳ６に戻る。つまり、撮影処理の終了後において、メモリカード９０に、録音中断前に作成された音声データと中断時音声データとをつなぎ合わせて（合成して）作成される１つの音声ファイル（例えば、図８の音声ファイル（Ｐｉｃｔ０１０１．ｗａｖ）に相当）が記録される。
【０１１５】
次に、図１０のステップＳ２１において状態Ｓ１でないと判断された場合、即ち、撮影処理を行わない場合（ステップＳ３０に進む場合）について説明する。
【０１１６】
ステップＳ３０では、操作者によるＱＶボタン１１の押下等により再生モード等の他のモードへ遷移したか否かを判別する。ここでは、他のモードへ遷移したと判別される場合はステップＳ３１に進み、遷移していないと判別される場合はステップＳ３４に進む。
【０１１７】
ステップＳ３１では、録音中Ｆ＝１に設定されているか否かを判別する。ここでは、録音中Ｆ＝１に設定されている場合はステップＳ３２に進み、設定されていない場合はボイスレコードモードを終了するとともに、他のモードへ遷移する。
【０１１８】
ステップＳ３２では、録音中Ｆ＝０に設定しステップＳ３３に進む。
【０１１９】
ステップＳ３３では、録音を終了し、ボイスレコードモードを終了するとともに、他のモードへ遷移する。
【０１２０】
ステップＳ３４では、録音が割り込み撮影によって中断されたか否かを判別する。ここでは、録音が中断されたと判別される場合はステップＳ３５に進み、中断されていないと判別される場合はステップＳ３９に進む。なお、ここで、録音が中断されたと判別される場合とは、一旦状態Ｓ１となってステップＳ２４で録音が中断されたものの、その後、状態Ｓ１が解除された場合に相当する。つまり、ここでは、全体制御部５０が、レリーズボタン９の押下操作（撮影操作）の中断や中止に基づいて、撮影処理が終了したものと判断するように制御する。
【０１２１】
ステップＳ３５では、状態Ｓ１が解除された（オフ）後に一定時間（例えば、０．３秒）経過したか否かを判別する。ここでは、状態Ｓ１の解除から一定時間が経過していなければステップＳ３６に進み、経過していればステップＳ３７に進む。
【０１２２】
ステップＳ３６では、ステップＳ２１と同様に状態Ｓ１であるか否かを判別する。ここでは、状態Ｓ１であればステップＳ２２に進み、状態Ｓ１でなければステップＳ３５に戻る。つまり、ここでは、ステップＳ２１で一旦状態Ｓ１が解除されたと判別されてから一定時間が経過するまで、再び状態Ｓ１とならない限り（ステップＳ３６でＹ）、ステップＳ３５とステップＳ３６の判別が繰り返され、状態Ｓ１の解除（ステップＳ２１で一旦状態Ｓ１が解除されたと判別された時点）から一定時間経過すればステップＳ３７に進む。よって、ここでは、全体制御部５０が、状態Ｓ１（撮影準備状態）の解除後所定時間（例えば、０．３秒）の経過に基づいて撮影操作が中断又は中止されたものと判断するように制御する。
【０１２３】
ステップＳ３７では、録音中Ｆ＝１に設定しステップＳ３８に進む。
【０１２４】
ステップＳ３８では、録音を再開するとともに、ステップＳ３９に進む。
【０１２５】
したがって、ここでは、操作者による撮影操作の中断／中止に基づいて撮影処理が終了したものと判断するため、撮影操作の中断／中止に基づいて即座に録音を再開することができる。また、その一方で、撮影準備状態（状態Ｓ１）の解除後、直ちにではなく、例えば、０．３秒といった若干の所定時間が経過した後に録音を再開する。つまり、撮影準備の再開のための若干の猶予期間を設けて操作者が確実に撮影（ここでは、撮影準備）を中止した場合のみ録音を再開する。その結果、操作者が撮影を中止しかけたが、実際には中止しなかった場合等において、録音の再開と中断に伴うタイムラグを防止できるため、シャッターチャンスを逃すことがなくなり、カメラの使い勝手を良くすることができる。
【０１２６】
ステップＳ３９では、録音中Ｆ＝１に設定されているか否かを判別する。ここでは、録音中Ｆ＝１に設定されている場合はステップＳ４０に進み、録音中Ｆ＝１に設定されていない場合は図９のステップＳ６に戻る。
【０１２７】
ステップＳ４０では、録音処理に伴う音声ファイルの更新を行い、図９のステップＳ６に戻る。
【０１２８】
以上、本発明の実施形態に係るデジタルカメラ１では、ボイスレコードモードにおいて、全体制御部５０の制御下で、撮影処理の開始に応答して録音を中断し、撮影処理の終了に応答して録音を再開する。その結果、シャッターチャンスを逃さず、撮影後の録音再開のし忘れの防止等が可能な使い勝手の良いデジタルカメラを提供することができる。
【０１２９】
また、撮影処理の開始に応答した録音中断時においてバッファメモリ５４に一時的に記憶されている中断時音声データを消去せずに保持する。そして、撮影処理の終了後に、その中断時音声データをメモリカード９０に記録する。その結果、録音中における割り込み撮影による音声データの欠落を最小限に留めることができる。さらに、中断時音声データをメモリカード９０に記録する際には、録音中断前の直近に作成された音声データに対して追加（合成）して１つの音声ファイルとして記録する。その結果、１つの音声ファイルとして、音声データの欠落を最小限に留めることができる。
【０１３０】
＜（５）変形例＞
以上、この発明の実施形態について説明したが、この発明は上記説明した内容のものに限定されるものではない。
【０１３１】
◎例えば、上述した実施形態はデジタルカメラを対象とするものであったが、本発明を適用可能な対象としてはこれに限られるものではなく、例えば、適用対象がカメラ付きの携帯電話等であっても良い。なお、カメラ付きの携帯電話等も広い意味ではデジタルカメラとみることができる。
【０１３２】
◎上述した具体的実施形態には以下の構成を有する発明が含まれている。
【０１３３】
（１）請求項２に記載のデジタルカメラであって、操作者による操作に基づいて撮影準備状態を検出する検出手段、をさらに備え、前記録音制御手段が、前記検出手段による撮影準備状態の検出に基づいて前記撮影処理が開始されたものと判断し、前記撮影準備状態の解除後所定時間の経過に基づいて前記撮影操作が中断されたものと判断するように制御することを特徴とするデジタルカメラ。
【０１３４】
（１）の発明によれば、撮影準備状態の解除後、直ちにではなく、所定時間経過後に録音を再開することにより、確実に撮影を中止した場合にのみ録音を再開するため、シャッターチャンスを逃すことがなくなり、使い勝手を良くすることができる。
【０１３５】
（２）請求項１に記載のデジタルカメラであって、前記撮影処理に基づいて、デジタルデータ化された前記撮影画像データを一時的に記憶する一時記憶手段と、前記一時記憶手段に記憶された前記撮影画像データを転送して所定の記録媒体に記録するように制御する記録制御手段と、を備え、前記録音制御手段が、前記撮影画像データが前記一時記憶手段に記憶された後に、前記撮影処理が終了したか否かを判断するように制御することを特徴とするデジタルカメラ。
【０１３６】
（２）の発明によれば、撮影処理によって得られる撮影画像データの取得後に、撮影処理が終了したか否かを判断するため、撮影に支障を与えることなく速やかに録音を再開することができる。
【０１３７】
（３）（２）に記載のデジタルカメラであって、前記録音制御手段が、前記一時記憶手段に所定の空き容量ができた場合に前記撮影処理が終了したものと判断するように制御することを特徴とするデジタルカメラ。
【０１３８】
（３）の発明によれば、メモリに所定の空き容量ができた場合には、撮影処理が終了したものと判断するため、撮影に支障を与えることなく速やかに録音を再開することができる。
【０１３９】
（４）請求項１、請求項２、および（１）から（３）のいずれかに記載のデジタルカメラであって、ライブビュー表示を行う表示手段と、前記ボイスレコードモードにおいては、前記表示手段によるライブビュー表示を禁止する禁止手段と、をさらに備えることを特徴とするデジタルカメラ。
【０１４０】
（４）の発明によれば、ボイスレコードモードではライブビュー表示をしないため、録音される音声の品質の劣化等を防止することができる。
【０１４１】
（５）請求項５に記載のデジタルカメラであって、前記記録制御手段が、前記録音の中断前に作成された音声データと、前記中断時音声データとを合成して作成される１つの音声ファイルを前記記録媒体に記録するように制御することを特徴とするデジタルカメラ。
【０１４２】
（５）の発明によれば、録音の中断前に作成された音声データに対して、一時的に記憶された録音中断時の音声データを追加して１つの音声ファイルとして記録媒体に記録するため、音声データの欠落を最小限に留めることができる。
【０１４３】
【発明の効果】
以上説明したように、請求項１に記載の発明によれば、撮影処理の開始に応答して録音を中断し、撮影処理の終了に応答して録音を再開するため、シャッターチャンスを逃さず、使い勝手の良いデジタルカメラを提供することができる。
【０１４４】
また、請求項２に記載の発明によれば、操作者による撮影操作の中断に基づいて即座に録音を再開することができる。
【０１４５】
また、請求項３に記載の発明によれば、ボイスレコードモードではアフタービュー表示をしないため、撮影処理終了後に速やかに録音を再開することができる。
【０１４６】
また、請求項４の発明によれば、撮影処理の開始に応じた録音中断時において一時的に記憶されている音声データを消去せずに保持しておくため、音声データの欠落を最小限に留めることができる。その一方で、録音中断時に音声データの記録処理を中断するため、シャッターチャンスを逃すことも防止することができ、使い勝手の良いデジタルカメラを提供することができる。
【０１４７】
また、請求項５の発明によれば、撮影処理の終了後に、録音中断時において一時的に保持されていた音声データを記録媒体に記録するため、音声データの欠落を最小限に留めることができる。
【図面の簡単な説明】
【図１】本発明の実施形態に係るデジタルカメラの外観構成を示す図である。
【図２】本発明の実施形態に係るデジタルカメラの外観構成を示す図である。
【図３】デジタルカメラの内部機能を示すブロック図である。
【図４】メモリカード内のフォルダ構成を概念的に示す図である。
【図５】撮影画像ファイルの構成を概念的に示す図である。
【図６】音声ファイルの構成を概念的に示す図である。
【図７】デジタルカメラにおける状態遷移図である。
【図８】録音中の割り込み撮影を説明するための概念図である。
【図９】ボイスレコードモードにおける動作フローを示すフローチャートである。
【図１０】ボイスレコードモードにおける動作フローを示すフローチャートである。
【図１１】ボイスレコードモードにおける動作フローを示すフローチャートである。
【符号の説明】
１  デジタルカメラ
５  ＬＣＤ（表示手段）
９  レリーズボタン（検出手段）
２０  ＣＣＤ（撮像手段）
５０  全体制御部（録音制御手段、記録制御手段、禁止手段）
５４  バッファメモリ（一時記憶手段）
９０  メモリカード（記録媒体）
【図１】
2004274607.tif 000003
【図２】
2004274607.tif 000004
【図３】
2004274607.tif 000005
【図４】
2004274607.tif 000006
【図５】
2004274607.tif 000007
【図６】
2004274607.tif 000008
【図７】
2004274607.tif 000009
【図８】
2004274607.tif 000010
【図９】
2004274607.tif 000011
【図１０】
2004274607.tif 000012
【図１１】
2004274607.tif 000013